(57)【要約】【課題】本発明の課題は、光アウトレットやスイッチングハブ等の配線用筐体を、安価な物品コスト及び美観を損なわないように既設情報コンセントのプレート表面に簡単かつ確実に固定できる配線用筐体取付方法を提供することにある。【解決手段】本発明は、情報コンセントのプレート３３表面に設けられた複数ピンモジュラコネクタのジャック３４に固定式取付プラグ１０を差し込むことにより、配線用筐体３１を前記情報コンセントのプレート３３表面に取り付けることを特徴とする。【選択図】      図３
2005192340.tif 000002
【特許請求の範囲】
【請求項１】
情報コンセントのプレート表面に設けられた複数ピンモジュラコネクタのジャックに取付プラグを差し込むことにより、配線用筐体を前記情報コンセントのプレート表面に取り付けることを特徴とする配線用筐体取付方法。
【請求項２】
情報コンセントのプレート表面に設けられた複数ピンモジュラコネクタのジャックに取付プラグを差し込むことにより、前記情報コンセントのプレートがどのような形状のプレートであってもプレートの取り替え、またはプレートを傷付けることなく、配線用筐体を前記情報コンセントのプレート表面に取り付けることを特徴とする配線用筐体取付方法。
【請求項３】
情報コンセントのプレート表面に設けられた複数ピンモジュラコネクタのジャックに、配線用筐体背面に設けられた穴を通して差し込まれた固定プラグ本体と、
前記固定プラグ本体に突出して設けられ、前記配線用筐体を係止して前記情報コンセントのプレート表面に取り付ける筐体固定部と
を具備することを特徴とする取付プラグ。
【請求項４】
情報コンセントのプレート表面に設けられた複数ピンモジュラコネクタのジャックに差し込まれる固定プラグ本体と、
前記固定プラグ本体に前記情報コンセントのプレート表面から突出して設けられ、配線用筐体背面に設けられた穴を引掛けて該配線用筐体を取り付ける引掛け部材と
を具備することを特徴とする取付プラグ。
【請求項５】
引掛け部材として、固定プラグ本体と一体成型した引掛けねじ、もしくは固定プラグ本体に螺入して取り付けられた引掛けねじを用いることを特徴とする請求項４記載の取付プラグ。
【請求項６】
固定プラグ本体に、ジャックへの固定及び解除が行えるラッチを設けたことを特徴とする請求項３又は４記載の取付プラグ。
【請求項７】
固定プラグ本体に、ジャックのコンタクトピンを損傷しないようにスロットが設けられたことを特徴とする請求項３又は４記載の取付プラグ。
【請求項８】
スロットの内部に、ジャックのコンタクトピンと導通可能なピンを設けたことを特徴とする請求項７記載の取付プラグ。
【発明の詳細な説明】
【技術分野】
【０００１】
本発明は、主に住宅内の情報コンセントの周りに配置される光アウトレットやスイッチングハブ等の配線用筐体を壁面にねじで固定することなく、情報コンセントの既設ＲＪ１１やＲＪ４５ジャックを利用して配線用筐体を情報コンセントのプレート表面に簡単かつ確実に固定する配線用筐体取付方法及び取付プラグに関する。
【背景技術】
【０００２】
従来から用いられている電話用アウトレットは露出配線時に用いられる露出タイプと配管内配線時に用いられる埋め込みタイプがある。
この場合は住宅内の設備状況に応じて適合するタイプを選択している。この方法は配管内配線を行うユーザには壁に穴を開けずにアウトレットを設置でき、且つ壁面の別の場所にアウトレットを取り付ける必要がないため美観に優れるといったメリットがある。しかし品目が多くなることで物品コストの削減が困難であった。光ファイバを成端するアウトレットにおいても電話用アウトレット同様に露出タイプと埋め込みタイプがあり、埋め込みタイプはプレートごと交換することになる。また光の曲率半径やコネクタ接続を考慮してプレート面から突き出たタイプになっている（例えば、非特許文献１参照。）。またスイッチングハブにおいても同様でパソコン周りに設置する据え置きタイプと埋め込みタイプが分離した形となっている。
【０００３】
【非特許文献１】「ＬＡＮ配線技術ハンドブック」ソフトバンクパブリッシング株式会社出版  ２００３年３月２７日発行  ｐ．１３８
【発明の開示】
【発明が解決しようとする課題】
【０００４】
本発明は上記の事情に鑑みてなされたもので、光アウトレットやスイッチングハブ等の配線用筐体を、安価な物品コスト及び美観を損なわないように既設情報コンセントのプレート表面に簡単かつ確実に固定できる配線用筐体取付方法及び取付プラグを提供することを目的とする。
【課題を解決するための手段】
【０００５】
上記目的を達成するために本発明の配線用筐体取付方法は、情報コンセントのプレート表面に設けられた複数ピンモジュラコネクタのジャックに取付プラグを差し込むことにより、配線用筐体を前記情報コンセントのプレート表面に取り付けることを特徴とする。
【０００６】
また本発明の配線用筐体取付方法は、情報コンセントのプレート表面に設けられた複数ピンモジュラコネクタのジャックに取付プラグを差し込むことにより、前記情報コンセントのプレートがどのような形状のプレートであってもプレートの取り替え、またはプレートを傷付けることなく、配線用筐体を前記情報コンセントのプレート表面に取り付けることを特徴とする。
【０００７】
また、本発明の取付プラグは、情報コンセントのプレート表面に設けられた複数ピンモジュラコネクタのジャックに、配線用筐体背面に設けられた穴を通して差し込まれた固定プラグ本体と、前記固定プラグ本体に突出して設けられ、前記配線用筐体を係止して前記情報コンセントのプレート表面に取り付ける筐体固定部とを具備することを特徴とするものである。
【０００８】
また、本発明の取付プラグは、情報コンセントのプレート表面に設けられた複数ピンモジュラコネクタのジャックに差し込まれる固定プラグ本体と、前記固定プラグ本体に前記情報コンセントのプレート表面から突出して設けられ、配線用筐体背面に設けられた穴を引掛けて該配線用筐体を取り付ける引掛け部材とを具備することを特徴とするものである。
【０００９】
また本発明は、前記取付プラグにおいて、引掛け部材として、固定プラグ本体と一体成型した引掛けねじ、もしくは固定プラグ本体に螺入して取り付けられた引掛けねじを用いることを特徴とするものである。
【００１０】
また本発明は、前記取付プラグにおいて、固定プラグ本体に、ジャックへの固定及び解除が行えるラッチを設けたことを特徴とするものである。
【００１１】
また本発明は、前記取付プラグにおいて、固定プラグ本体に、ジャックのコンタクトピンを損傷しないようにスロットが設けられたことを特徴とするものである。
【００１２】
また本発明は、前記取付プラグにおいて、スロットの内部に、ジャックのコンタクトピンと導通可能なピンを設けたことを特徴とするものである。
【発明の効果】
【００１３】
本発明の配線用筐体取付方法及び取付プラグは、光アウトレットやスイッチングハブ等の配線用筐体を、安価な物品コスト及び美観を損なわないように既設情報コンセントのプレート表面に簡単かつ確実に固定できる。したがって、住宅内ネットワークを構築するのに好適するものである。
【発明を実施するための最良の形態】
【００１４】
以下図面を参照して本発明の実施の形態例を詳細に説明する。
図１は本発明に係る固定式取付プラグの第１の例を示す斜視図である。この例では８ピンモジュラコネクタ（ＲＪ４５タイプ）の固定式取付プラグ１０の場合である。すなわち、四角の箱状よりなる固定プラグ本体１１の先端面には８ピンモジュラコネクタに対応した８個のスロット１２が設けられる。前記固定プラグ本体１１の両側面にはそれぞれ３角柱状の筐体固定部１３が外方に突出して一体に設けられる。前記固定プラグ本体１１の先端面上部には発条体よりなる凸状板のラッチ１４の先端縁部が固定され、このラッチ１４の後端は前記固定プラグ本体１１の上面後方に徐々に浮き上がるように突出して設けられる。
【００１５】
図２は本発明に係る固定式取付プラグの第２の例を示す斜視図である。この例では６ピンモジュラコネクタ（ＲＪ１１タイプ）の固定式取付プラグ２０の場合である。すなわち、四角の箱状よりなる固定プラグ本体２１の先端面には６ピンモジュラコネクタに対応した６個のスロット２２が設けられる。前記固定プラグ本体２１の両側面にはそれぞれ３角柱状の筐体固定部２３が外方に突出して一体に設けられる。前記固定プラグ本体２１の先端面上部には発条体よりなる凸状板のラッチ２４の先端縁部が固定され、このラッチ２４の後端は前記固定プラグ本体２１の上面後方に徐々に浮き上がるように突出して設けられる。
【００１６】
図３は本発明に係る固定式取付プラグによる配線筐体取付方法の一例を示す斜視図である。図３（ａ）は光アウトレットやスイッチングハブ等の有底四角筒状の配線用筐体３１であり、この配線用筐体３１の背面には凸状を２段に連通した穴よりなる３つのプラグ挿入穴３２が上下方向に配設されている。図３（ｂ）は既設情報コンセントのプレート３３の表面であり、８ピンモジュラコネクタ（ＲＪ４５タイプ）の凸状を２段に連通した穴よりなるジャック３４が２個設けられている場合である。すなわち、図１で示した固定式取付プラグ１０の先端部を配線用筐体３１の上部のプラグ挿入穴３２を通してプレート３３の上部のジャック３４に差し込むことにより、配線用筐体３１をプレート３３の表面に取り付けている。
【００１７】
図４は本発明に係る固定式取付プラグによる配線筐体取付方法の他の例を示す斜視図である。図４（ａ）は光アウトレットやスイッチングハブ等の有底四角筒状の配線用筐体４１であり、この配線用筐体４１の背面には凸状を２段に連通した穴よりなる３つのプラグ挿入穴４２が上下方向に配設されている。図４（ｂ）は既設情報コンセントのプレート４３の表面であり、６ピンモジュラコネクタ（ＲＪ１１タイプ）の凸状を２段に連通した穴よりなるジャック４４が１個設けられている場合である。すなわち、図２で示した固定式取付プラグ２０の先端部を配線用筐体４１の真中のプラグ挿入穴４２を通してプレート４３のジャック４４に差し込むことにより、配線用筐体４１をプレート４３の表面に取り付けている。
【００１８】
図５は図４の固定式取付プラグによる配線筐体取付方法を示す概略的断面図である。すなわち、住宅内の壁面５１に設けられたプレート４３の表面にはがたつき防止のためのクッション５２を介在して配線用筐体４１が固定式取付プラグ２０により取り付けられている。固定式取付プラグ２０は先端部を配線用筐体４１の真中のプラグ挿入穴４２を通してプレート４３のジャック４４に差し込まれる。この場合、固定式取付プラグ２０のラッチ２４の後端部の幅の狭い部分がジャック４４およびプラグ挿入穴４２の幅の狭い穴部分に挿入されることにより係止され、固定式取付プラグ２０の筐体固定部２３とラッチ２４により配線用筐体４１がプレート４３の表面に固定される。なお、ラッチ２４の後端部は配線用筐体４１内に突出されるので、このラッチ２４の後端部を押し下げることにより、固定式取付プラグ２０をプレート４３のジャック４４から抜き出すことができ、配線用筐体４１のプレート４３表面への固定を解除することができる。尚、プレート４３のジャック４４は図示しない配管内配線に接続される。
【００１９】
図６は一般的な情報コンセントにおけるプレートの説明図である。すなわち、既設情報コンセントのプレート６１の表面には、８ピンモジュラコネクタ（ＲＪ４５タイプ）等の複数ピンモジュラコネクタのジャックが取り付けられるように、３個取付用穴６２、２個取付用穴６３、１個取付用穴６４が設けられる。
【００２０】
図７は本発明に係る引掛け式取付プラグの第１の例を示す斜視図である。この例では８ピンモジュラコネクタ（ＲＪ４５タイプ）の引掛け式取付プラグ７０の場合である。すなわち、四角の箱状よりなる固定プラグ本体７１の先端面には８ピンモジュラコネクタに対応した８個のスロット７２が設けられる。前記固定プラグ本体７１の先端面上部には発条体よりなる凸状板のラッチ７４の先端縁部が固定され、このラッチ７４の後端は前記固定プラグ本体７１の上面後方に徐々に浮き上がるように突出して設けられる。前記固定プラグ本体７１の後面には引掛けねじ７３が頭部を突出するようにして螺入されている。尚、前記引掛けねじ７３はこれに限らず、例えば引掛けねじを固定プラグ本体と一体成型する等の引掛け部材を用いることがでる。
【００２１】
図８は本発明に係る引掛け式取付プラグの第２の例を示す斜視図である。この例では６ピンモジュラコネクタ（ＲＪ１１タイプ）の固定式取付プラグ８０の場合である。すなわち、四角の箱状よりなる固定プラグ本体８１の先端面には６ピンモジュラコネクタに対応した６個のスロット８２が設けられる。前記固定プラグ本体８１の先端面上部には発条体よりなる凸状板のラッチ８４の先端縁部が固定され、このラッチ８４の後端は前記固定プラグ本体８１の上面後方に徐々に浮き上がるように突出して設けられる。前記固定プラグ本体８１の後面には引掛けねじ８３が頭部を突出するようにして螺入されている。尚、前記引掛けねじ８３はこれに限らず、例えば引掛けねじを固定プラグ本体と一体成型する等の引掛け部材を用いることがでる。
【００２２】
図９は本発明に係る引掛け式取付プラグによる配線筐体取付方法の一例を示す斜視図である。図９（ａ）は光アウトレットやスイッチングハブ等の有底四角筒状の配線用筐体９１であり、この配線用筐体９１の背面上部にはだるま穴９２が設けられる。図９（ｂ）は既設情報コンセントのプレート９３の表面であり、８ピンモジュラコネクタ（ＲＪ４５タイプ）の凸状を２段に連通した穴よりなるジャック９４が２個設けられている場合である。すなわち、図７で示した引掛け式取付プラグ７０の先端部をプレート９３の上部のジャック９４に差し込むことにより、配線用筐体９１をプレート９３の表面に取り付ける。この場合、引掛け式取付プラグ７０の引掛けねじ７３は突出しているため、この引掛けねじ７３を配線用筐体９１のだるま穴９２に挿入することにより、配線用筐体９１を引掛けねじ７３に引掛けることができ、配線用筐体９１をプレート９３の表面に取り付けることができる。
【００２３】
尚、固定式取付プラグまたは引掛け式取付プラグのスロットの内部には複数ピンモジュラコネクタ（ＲＪ４５、ＲＪ１１タイプ等）のジャックのコンタクトピンと導通可能なピンを設けるようにしてもよい。
【００２４】
以上のように、固定式取付プラグまたは引掛け式取付プラグによって既設情報コンセントのプレートがどのような形状のプレートであってもプレートを取り替えまたはプレートを傷付けることなくプレート表面に配線用筐体を取り付けることができる。また、固定式取付プラグまたは引掛け式取付プラグの先端面にスロットを設けることにより、複数ピンモジュラコネクタ（ＲＪ４５、ＲＪ１１タイプ等）のジャックのコンタクトピンを損傷することはない。また、固定式取付プラグまたは引掛け式取付プラグには落下防止のラッチがあり、ＲＪ４５プラグ及びＲＪ１１プラグ同様にラッチ操作によりプラグの挿抜を簡単に行うことができる。したがって、今後住宅内ＬＡＮや宅内に光ファイバが配線される時代に安価な物品開発を行えかつ美観にこだわりをもつユーザにも違和感のないかたちでネットワークを構築することができ、工事時間の短縮やブロードバンド化の促進が図れる。
【００２５】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２６】
【図１】本発明に係る固定式取付プラグの第１の例を示す斜視図である。
【図２】本発明に係る固定式取付プラグの第２の例を示す斜視図である。
【図３】本発明に係る固定式取付プラグによる配線筐体取付方法の一例を示す斜視図である。
【図４】本発明に係る固定式取付プラグによる配線筐体取付方法の他の例を示す斜視図である。
【図５】図４の固定式取付プラグによる配線筐体取付方法を示す概略的断面図である。
【図６】一般的な情報コンセントにおけるプレートの説明図である。
【図７】本発明に係る引掛け式取付プラグの第１の例を示す斜視図である。
【図８】本発明に係る引掛け式取付プラグの第２の例を示す斜視図である。
【図９】本発明に係る引掛け式取付プラグによる配線筐体取付方法の一例を示す斜視図である。
【符号の説明】
【００２７】
１０    ８ピンモジュラコネクタ（ＲＪ４５タイプ）の固定式取付プラグ
１１    固定プラグ本体
１２    スロット
１３    筐体固定部
１４    ラッチ
【図１】
2005192340.tif 000003
【図２】
2005192340.tif 000004
【図３】
2005192340.tif 000005
【図４】
2005192340.tif 000006
【図５】
2005192340.tif 000007
【図６】
2005192340.tif 000008
【図７】
2005192340.tif 000009
【図８】
2005192340.tif 000010
【図９】
2005192340.tif 000011